(57)【要約】【課題】建築物、特に一般家屋の側面に取り付けられる場合であっても、収納されている計測機器の正面からの確認が可能であって、壁面からの配線を保護する構造を持つメーターボックスを提供する。【解決手段】建築物の壁面に対して設置されると共に計測機器等の機器を収納するメーターボックスであって、このメーターボックスは機器を取り付けるための機器取付部と、機器取付部と略垂直に設けられる壁面設置部と、壁面設置部に配線を行うための配線孔とを設けた基台と、基台の周縁に設けられる被掛合部と、被掛合部と掛合する掛合部と機器の確認が可能な確認窓とを設けた蓋体とからなり、壁面設置部は基台の全体又は一部を膨出して形成され、配線孔は壁面設置部を貫通して設けられる。【選択図】図１
2010038690.tif 000002
【特許請求の範囲】
【請求項１】
建築物の壁面に対して設置されると共に計測機器等の機器を収納するメーターボックスであって、該メーターボックスは前記機器を取り付けるための機器取付部と、該機器取付部と略垂直に設けられる壁面設置部と、該壁面設置部に配線を行うための配線孔とを設けた基台と、該基台の周縁に設けられる被掛合部と、該被掛合部と掛合する掛合部と前記機器の確認が可能な確認窓とを設けた蓋体とからなり、前記壁面設置部は前記基台の全体又は一部を膨出して形成され、前記配線孔は前記壁面設置部を貫通して設けられることを特徴とするメーターボックス。
【請求項２】
前記メータボックスにおいて、基台を固定する固定手段と、配線を行うと共に貫通材を取り付けるための開口を設けた貫通材取付部とを設けたメーターボックス取付部材を壁面設置部に設けたことを特徴とするメーターボックス。
【発明の詳細な説明】
【技術分野】
【０００１】
本発明は、メーターボックスの取り付けに関するものである。
【背景技術】
【０００２】
従来、メーターボックスには特許文献１に記載されているような、
ケース本体に、内部に設置されている電力量計を視認するための開口部が設けられてなる電力量計収納ケースであって、ケース本体に、開口部からの内部の視認を遮る閉塞位置と、開口部からの内部の視認を許容する開放位置とに操作可能な扉体を備えてなり、又、ケース本体はカバー部材と基板とからなり、基板には配線孔が設けられると共にカバー部材を係止する係止部が設けられた電力量計収納ケースがあった。
【０００３】
しかしながら、特許文献１に記載の発明では、メーターボックスが建築物、特に一般家屋の側面に取り付けられている場合には、隣接する家屋との距離が短いと確認窓による計測が困難な場合があるという欠点がある。
【０００４】
この改善策として、板金をＬ字状に形成して壁面設置部と配線孔とを設けた、図４に示すようなメーターボックス取付部材を用いることでメーターボックスが建築物、特に一般家屋の側面に取り付けられている場合であっても正面を向かせることが可能である。
【特許文献１】特開２００８−１７５５４
【発明の開示】
【発明が解決しようとする課題】
【０００５】
しかしながら、上記の改善策では外壁からメーターボックスまでの電線は露出した配線となっており、雨水等によって濡れることで漏電の恐れがあるという欠点がある。
【０００６】
又、メーターボックス自体には防水処理が施されていても、背面に設けられている配線孔からの雨水の浸入に対しては基台にコーキング処理を施す必要があり、製造の工程が増えるという欠点がある。
【０００７】
又、壁面からメーターボックスまでの間、電線が露出するため美観を損ねる恐れがあるという欠点がある。
【０００８】
このため、本発明によって解決しようとする課題は、建築物、特に一般家屋の側面に取り付けられる場合であっても、メーターボックス内に収納されている計測機器の正面からの確認が可能であって、壁面からの入出線保護をする構造を持つメーターボックスを提供することにある。
【課題を解決するための手段】
【０００９】
上記した課題を解決するためになされた本発明のメーターボックスは、建築物の壁面に対して設置されると共に計測機器等の機器を収納するメーターボックスであって、このメーターボックスは機器を取り付けるための機器取付部と、機器取付部と略垂直に設けられる壁面設置部と、壁面設置部に配線を行うための配線孔とを設けた基台と、基台の周縁に設けられる被掛合部と、被掛合部と掛合する掛合部と機器の確認が可能な確認窓とを設けた蓋体とからなり、壁面設置部は基台の全体又は一部を膨出して形成され、配線孔は壁面設置部を貫通して設けられる。
【発明の効果】
【００１０】
本発明のメーターボックスによれば、基台の全体又は一部を膨出して壁面設置部を形成するため、計測機器が収納されたメーターボックスを建築物の側面の壁に対して設置した場合であっても、建築物の正面から機器を確認することが可能であるため、機器の確認等を行う作業者の負担を軽くすることが可能である。
【００１１】
又、壁面設置部を貫通して配線孔を設けた構造であるため、外壁からメーターボックスまでの電線を露出させることのない配線が可能となり、雨水等によって濡れることで起こる漏電の恐れを少なくすることが可能である。
【００１２】
又、基台の壁面設置部が建築物の壁面に接しているため、電線を隠蔽させることができるため、美観を損ねる恐れを少なくすることが可能である。
【００１３】
又、メーターボックス取付部材に貫通材を設けることで電線の保護が可能であり、同時に防水処理も行うことが可能である。
【発明を実施するための最良の形態】
【００１４】
本発明では、建築物の側面に取り付けた場合であっても正面から計測機器の確認が可能なメーターボックスを少ない部品数で可能にした。
【実施例１】
【００１５】
以下、本発明の実施の形態を説明する。
建築物の壁面に対して設置されると共に計測機器等の機器１３を収納するメーターボックスであって、このメーターボックスは機器１３を取り付けるための機器取付部１２と、機器取付部１２と略垂直に設けられる壁面設置部４と、壁面設置部４に配線を行うための配線孔５とを設けた基台１、１１と、基台１、１１の周縁に設けられる被掛合部１６と、被掛合部１６と掛合する掛合部８と機器１３の確認が可能な確認窓９とを設けた蓋体７とからなり、壁面設置部４は基台１、１１の全体又は一部を膨出して形成され、配線孔５は壁面設置部４を貫通して設けられる。これにより、機器１３が収納されたメーターボックスを建築物の側面の壁に対して設置した場合であっても、建築物の正面から機器１３を確認することが可能である。又、壁面設置部４を貫通して配線孔５を設けた構造であるため、外壁からメーターボックスまでの電線を露出させることのない配線が可能となり、雨水等によって濡れることで起こる漏電の恐れを少なくすることが可能である。又、壁面設置部４を設けることによって建築物の側面への取り付けが可能であるため、側面取付のための金具等のコストを削減することが可能である。又、基台１、１１の壁面設置部４が建築物の壁面に接しているため、電線を隠蔽して配線させることができ、美観を損ねる恐れを少なくすることが可能である。又、基台１、１１を反転させることによって建築物の反対の側面への取り付けも可能である。
【００１６】
又、基台を固定するためのネジ止めによる固定手段と、配線を行うと共に貫通材を取り付けるための開口を配線孔の位置に合わせて設けた貫通材取付部とを設けたメーターボックス取付部材を壁面設置部に設けることにより、電線の保護が可能となり、同時に防水処理も行うことが可能となる。
【００１７】
なお、固定手段については本実施例におけるネジ止めに限定されるものではなく、本発明の趣旨を変更しない範囲で適宜変更可能である。
【００１８】
以上のように、本発明のメーターボックスは、基台の全体又は一部を膨出して壁面設置部を形成することによって建築物の側面へ取り付けた場合であっても収納された計測機器の確認が可能となるものである。
【図面の簡単な説明】
【００１９】
【図１】本発明の実施例１における、メーターボックスの斜視図である。
【図２】本発明の実施例１における、メーターボックスの分解斜視図である。
【図３】従来技術における、特許文献１に記載のメーターボックスの分解斜視図である。
【図４】従来技術における、Ｌ字型板金金具の斜視図である。
【符号の説明】
【００２０】
１、１１、２１    基台
１２、２２    機器取付部
１３    機器
４、１４、３４    壁面設置部
１５、２５、３５    配線孔
１６    被掛合部
７、１７、２７    蓋体
８、１８    掛合部
９、１９、２９    確認窓
５０、５１、５３    メーターボックス取付部材
６０、６１    固定手段
７０、７１    貫通材取付部
【図１】
2010038690.tif 000003
【図２】
2010038690.tif 000004
【図３】
2010038690.tif 000005
【図４】
2010038690.tif 000006